(57)【特許請求の範囲】
【請求項１】
車体等の被取付部にブロックを固定し、該ブロックにアタッチメントを介して箱型電装部品を取り付ける箱型電装部品の取付構造において、前記ブロックに立設されるリブに上方に開口する切欠を形成するとともに、前記切欠に両面を入れ換え可能に嵌合保持し、かつ両面に２種の異なる前記箱型電装部品を保持するための異なる形状の係合部をそれぞれ有するアタッチメントを備え、該アタッチメントを介して異なる箱型電装部品をブロックに取付可能にしたことを特徴とする箱型電装部品の取付構造。
【請求項２】
前記切欠をＵ字状に形成したことを特徴とする請求項１に記載の箱型電装部品の取付構造。
【請求項３】
前記切欠を画成する前記リブの側面に凹条又は凸条を形成するとともに、前記アタッチメントの側端面に前記リブの凹条又は凸条に嵌合する凸条又は凹条を形成して、前記アタッチメントを前記リブに両面を入れ換え可能に嵌合保持することを特徴とする請求項１又は２に記載の箱型電装部品の取付構造。
【請求項４】
前記リブの側面に凹部又は凸部を形成するとともに、前記アタッチメントの側端面に凸部又は凹部を形成し、前記リブに前記アタッチメントを嵌合保持させた状態で、前記アタッチメントの凸部又は凹部が前記リブの凹部又は凸部に嵌合して、前記アタッチメントを前記リブに係止させることを特徴とする請求項１〜３のいずれかに記載の箱型電装部品の取付構造。
【発明の詳細な説明】
【０００１】
【発明の属する技術分野】
本発明は、箱型電装部品の取付構造に関するもので、詳しくは、箱型電装部品をアタッチメントを介してブロックに着脱自在に支持する箱型電装部品の取付構造に関するものである。
【０００２】
【従来の技術】
自動車等では、箱型電装部品、例えばコネクタを一箇所にまとめるため、図５に示すように、車体等に固定したコネクタブロック１にリブ２を形成し、それらのリブ２に設けたロック部３にコネクタ４をそれぞれ保持させ、それらのコネクタ４で複数組のワイヤーハーネスを結合させている。
【０００３】
また、箱型電装部品の別の取付構造としては、例えば特開平７−２４５４８９号に開示されたものがある。この箱型電装部品の取付構造は、図６及び図７に示すように、アタッチメント３を備え、該アタッチメント３を介して箱型電装部品（コネクタに相当する）４をブラケット２に取り付けるものである。アタッチメント３の一方の面には、アタッチメント３に箱型電装部品４を取り付けるための係合部３ａ及び係止部３ｂが形成され、他方の面にもアタッチメント３をブラケット２に取り付けるための係合部３ｃ及び係止部３ｄが形成されている（図７参照）。また、電装部品４の裏面には、上記アタッチメント３の係合部３ａ及び係止部３ｂに係合するための係合部４ａ及び係止部４ｂが形成され、上記ブラケット２の外表面にも上記アタッチメント３の係合部３ａ及び係止部３ｂに係合するための係合部２ａ及び係止部２ｂが形成されている。
【０００４】
そして、アタッチメント３は、その係合部３ａをブラケット２の係合部２ａに係合させ、アタッチメント３の係止部３ｂをブラケット２の係止部２ｂに係合させてアタッチメント３をブラケット２に係止する。また、箱型電装部品４は、その係合部２ａをアタッチメント３の係合部３ａに係合させ、箱型電装部品４の係止部４ｂをアタッチメント３の係止部３ｂに係合して箱型電装部品４をアタッチメント３に係止する。
【０００５】
【発明が解決しようとする課題】
ところで、車両等では、図５に示すように、ブロック１を介してコネクタ（箱型電装部品）４が集合設置されて車体等の被取付部材に取り付けられる。その際、ブロック１に取り付けられるコネクタ４は、仕様に応じて適宜選択されて使用される。したがって、図６に示すように、アタッチメント３を介してコネクタ４をブロック１に取り付けるようにし、かつアタッチメント３とブロック１との間の結合構造を同一にしておけば、任意に選択した各種コネクタ４を同一のブロック１に取り付けることができるので、ブロック１を共用することができる。しかし、この場合にはコネクタ４の種類に応じた数のアタッチメント３を用意しなくてはならず、アタッチメント３の管理が煩雑になってしまう。
【０００６】
本発明の目的は、このような従来技術の有する課題を解決することにあり、１つのアタッチメントに２種類のコネクタを取り付けられるようにして、アタッチメントの数を半減させることによって、コストダウンを図るとともに、部品管理を容易にした箱型電装部品の取付構造を提供することにある。
【０００７】
【課題を解決するための手段】
本発明の上記目的は、下記構成により達成される。
▲１▼  車体等の被取付部にブロックを固定し、該ブロックにアタッチメントを介して箱型電装部品を取り付ける箱型電装部品の取付構造において、前記ブロックに立設されるリブに上方に開口する切欠を形成するとともに、前記切欠に両面を入れ換え可能に嵌合保持し、かつ両面に２種の異なる前記箱型電装部品を保持するための異なる形状の係合部をそれぞれ有するアタッチメントを備え、該アタッチメントを介して異なる箱型電装部品をブロックに取付可能にしたことを特徴とする箱型電装部品の取付構造。
【０００８】
▲２▼  前記切欠をＵ字状に形成したことを特徴とする前記▲１▼に記載の箱型電装部品の取付構造。
▲３▼  前記切欠を画成する前記リブの側面に凹条又は凸条を形成するとともに、前記アタッチメントの側端面に前記リブの凹条又は凸条に嵌合する凸条又は凹条を形成して、前記アタッチメントを前記リブに両面を入れ換え可能に嵌合保持することを特徴とする前記▲１▼又は▲２▼に記載の箱型電装部品の取付構造。
▲４▼  前記リブの側面に凹部又は凸部を形成するとともに、前記アタッチメントの側端面に凸部又は凹部を形成し、前記リブに前記アタッチメントを嵌合保持させた状態で、前記アタッチメントの凸部又は凹部が前記リブの凹部又は凸部に嵌合して、前記アタッチメントを前記リブに係止させることを特徴とする前記▲１▼〜▲３▼のいずれかに記載の箱型電装部品の取付構造。
【０００９】
前記▲１▼の構成によれば、アタッチメントをリブの上方から切欠に差し込んでブロックに取り付ける。その際、必要な係合部をブロックの箱型電装部品取付面側に位置させてアタッチメントを切欠に装着させる。そして、その係合部に箱型電装部品を係合させる。ブロックに他の異なる箱型電装部品を係合させる場合には、箱型電装部品取付面を反対にしてアタッチメントを切欠に装着させ、その係合部に他の異なる箱型電装部品を係合させる。したがって、１つのアタッチメントで２種類の箱型電装部品の取付けが可能になり、アタッチメントの数を半減でき、コストダウンが図れるばかりでなく、部品管理も容易になる。
【００１０】
また、前記▲２▼の構成によれば、アタッチメントを上下逆に切欠に装着させた場合には、アタッチメントが切欠に完全に挿入されない。したがって、誤装着を容易に発見することができる。
また、前記▲３▼の構成によれば、アタッチメントをリブに差し込む際に、アタッチメントがリブの凹条又は凸条によってガイドされるので、アタッチメントの切欠への装着が容易になる。
また、前記▲４▼の構成によれば、アタッチメントがリブに係止されるので、ブロックから離脱する恐れはない。
【００１１】
【発明の実施の形態】
以下、本発明に係る箱型電装部品の取付構造の好適な実施形態を図面を参照して詳細に説明する。図１は箱型電装部品としてのコネクタの取付構造を示した分解斜視図、図２（ａ），（ｂ）はその結合状態を示した断面図、図３は箱型電装部品としての他のコネクタの取付構造を示した分解斜視図、図４（ａ），（ｂ）はその結合状態を示した断面図である。
【００１２】
コネクタブロック１０は、上方に開口する箱状に形成され、複数箇所にリブ１３が形成されている。このリブ１３は、周縁に形成される側壁でもよく、内部に立設されるリブでもよい。それらのリブ１３には図１及び図３に示すように、切欠１４が形成されている。切欠１４は、上方に開口するようにＵ字状に形成されており、その切欠１４のＵ字状を画成する側壁１４ａ及び底壁１４ｂには全長にわたって凹条１５が形成されている。更に、その側壁１４ａに形成した凹条１５の下部には、凹部１６が形成されている。
【００１３】
この切欠には、アタッチメント２０が嵌合保持される。アタッチメント２０は、上記切欠１４と同形状、かつリブ１３と同厚に形成されている。このアタッチメント２０の端面２１（側面２１ａ及び底面２１ｂ）には、上記コネクタブロック１０の凹条１５に対応する凸条２２が形成されており、その凸条２２の側部下方には上記凹部１６に対応する凸部２３が形成されている。そして、このアタッチメント２０の両面には、相異なるコネクタを係合するための係合部２４，２５が形成されている。図示した実施形態では、一方の係合部２４は図１に示すように、両側部に張り出したフランジ部２４ａを有し、中央に上方へ延伸させた舌片２４ｂを有し、更に該舌片２４ｂの先端部内面にロック用突起２４ｃを有している。また、他方の係合部２５では図３に示すように、断面Ｌ字状の２つの抱持片２５ａを互いに対抗するように配設している。
【００１４】
上記アタッチメント２０の両面に形成される係合部２４，２５は、それらの係合部２４，２５にそれぞれ異なる種類のコネクタ３０ａ，３０ｂが係合される。一方の係合部２４に係合されるコネクタ３０ａの係合部３１は、図１に示すように、外面と下方に開口する空間部３１ａを有し、該空間部３１ａには両側壁に上記アタッチメント２０の係合部２４のフランジ２４ａに嵌合する溝３１ｂが形成され、中央壁に下方へ延伸させた舌片３１ｃが形成されている。そして、該舌片３１ｃの下端内面に上記アタッチメント２０のロック用突起２４ｃに係合する凹部３１ｄが形成されている。また、他方の係合部２５に係合されるコネクタ３０ｂの係合部３２は、図３に示すように、該面と下方に開口する空間部３２ａを有し、該空間部３２ａの天井から下方へ延伸させた舌片３２ｂが形成されている。そして、舌片３２ｂの下端内面には爪３２ｃが形成されている。
【００１５】
このように構成されたコネクタブロック１０に、アタッチメント２０を介して以下のようにコネクタ３０ａ，３０ｂが係止される。即ち、図１に示すように、コネクタブロック１０のリブ１３に形成された切欠１４に、取り付けようとするコネクタ３０ａに対応した係合部２４を有するアタッチメント２０を、その突条２２をコネクタブロック１０の凹条１５に合致させて切欠１４に差し込む。すると、アタッチメント２０は、コネクタブロック１０の凹条１５にガイドされて切欠内１４に進入し、アタッチメント２０の凸部２３がコネクタブロック１０の凹部１６に嵌入することによって、コネクタブロック１０に係合される。次いで、コネクタ３０ａの係合部３１をアタッチメント２０の係合部２４に上方から装着させる。すると、図２（ａ）に示すように、コネクタ３０ａの溝３１ｂがアタッチメント２０のフランジ２４ａに嵌合し、更に押下することによって図２（ｂ）に示すように、コネクタ３０ａの舌片３１ｃの凹部３１ｄに合致してコネクタ３０ａがアタッチメント２０に係止される。
【００１６】
また、図３に示すように、アタッチメント２０の他の係合部２５を使用して、他のコネクタ３０ｂをコネクタブロック１０に取り付ける場合には、上記アタッチメント２０の面を反対にして、その突条２２をコネクタブロック１０の凹条１５に合致させて切欠１４に差し込む。すると、アタッチメント２０は、コネクタブロック１０の凹条１５にガイドされて切欠内１４に進入し、アタッチメント２０の凸部２３がコネクタブロック１０の凹部１６に嵌入することによって、コネクタブロック１０に係止される。次いで、コネクタ３０ｂの係合部３２をアタッチメント２０の係合部２５に上方から装着させる。すると、図４（ａ）に示すように、コネクタ３０ｂの舌片３２ｂがアタッチメント２０の抱持片２５ａ内に嵌合し、更に押下することによって図４（ｂ）に示すように、舌片３２ｂの爪３２ｃが抱持片２５ａの下面に係合してコネクタ３０ｂがアタッチメント２０に係止される。
【００１７】
なお、上記実施形態では、アタッチメント２０の面にそれぞれ形成した係合部２４，２５は、例示的に示したもので、コネクタの係合部に対応させた各種形状の係合部を形成することができる。また、上記実施形態では、アタッチメント２０の一面の係合部２４又は２５の一方を使用してコネクタ３０ａ又は３０ｂをコネクタブロック１０に係止しているが、アタッチメント２０の両面を使用して、それぞれのコネクタ３０ａ，３０ｂをコネクタブロック１０に同時に係合することもできる。更に、上記実施形態では、コネクタ３０ａ，３０ｂをコネクタブロック１０に係合する例を示したが、コネクタばかりでなくヒューズボックス等の他の箱型電装部品の取り付けにも利用できることはもちろんである。
【００１８】
【発明の効果】
以上に説明したように、本発明によれば、ブロックに立設されるリブに上方に開口する切欠を形成するとともに、切欠に両面を入れ換え可能に嵌合保持し、かつ両面に２種の異なる箱型電装部品を保持するための異なる形状の係合部をそれぞれ有するアタッチメントを備え、該アタッチメントを介して異なる箱型電装部品をブロックに取付可能にしたことにより、ブロックに他の異なる箱型電装部品を係合させる場合に、箱型電装部品取付面を反対にしてアタッチメントを切欠に装着させ、その係合部に他の異なる箱型電装部品を係合させればよい。したがって、１つのアタッチメントで２種類の箱型電装部品の取付けが可能で、それだけアタッチメントの必要個数を半減することができ、コストダウンばかりでなく部品管理も容易になる。
【００１９】
また、ブロックのリブに形成する切欠をＵ字状に形成することにより、アタッチメントを上下逆に切欠に装着させた場合には、アタッチメントが切欠に完全に挿入されないので、誤装着を容易に発見することができる。
【００２０】
また、切欠を画成するリブの側面に凹条又は凸条を形成するとともに、アタッチメントの側端面にリブの凹条又は凸条に嵌合する凸条又は凹条を形成することにより、アタッチメントをブロックに差し込む際に、アタッチメントがブロックの凹条又は凸条によってガイドされるので、アタッチメントの切欠への装着が容易である。
【００２１】
また、リブの側面に凹部又は凸部を形成するとともに、アタッチメントの側端面に凸部又は凹部を形成し、リブにアタッチメントを嵌合保持させた状態で、アタッチメントの凸部又は凹部がリブの凹部又は凸部に嵌合して、アタッチメントをリブに係止させることにより、アタッチメントの凸部又は凹部がブロックの切欠に形成した凹部又は凸部に嵌合して、アタッチメントをブロックに係止させるので、アタッチメントがブロックから離脱する恐れがなく、確実に保持される。
【図面の簡単な説明】
【図１】本発明に係る箱型電装部品の取付構造の一実施形態を示した分解斜視図で、異なるコネクタの一方を取り付けるための態様を示してしる。
【図２】図１におけるコネクタブロックにアタッチメントを介してコネクタを取り付けた状態を示したもので、図２（ａ）は横断面図、図２（ｂ）は縦断面図である。
【図３】図１に示した箱型電装部品の取付構造において、異なるコネクタの他方を取り付けるための態様を示し分解斜視図である。
【図４】図３におけるコネクタブロックにアタッチメントを介してコネクタを取り付けた状態を示したもので、図４（ａ）は横断面図、図４（ｂ）は縦断面図である。
【図５】従来の箱型電装部品の取付構造を適用したコネクタブロックを示した平面図である。
【図６】従来の箱型電装部品の取付構造を示した分解斜視図である。
【図７】図６におけるアタッチメントを反対側から示した斜視図である。
【符号の説明】
１０      ブロック
１３      リブ
１４      切欠
１５      凹条
１６      凹部
２０      アタッチメント
２１      端面
２２      凸条
２３      凸部
２４      係合部
２４ａ      フランジ
２４ｂ      舌片
２４ｃ      突起
２５      係合部
２５ａ      抱持片
３０，３０ａ，３０ｂ      コネクタ
３２      係合部
３２ｂ      舌片
３２ｃ      爪
【図１】
0003580472.tif 000002
【図２】
0003580472.tif 000003
【図３】
0003580472.tif 000004
【図４】
0003580472.tif 000005
【図５】
0003580472.tif 000006
【図６】
0003580472.tif 000007
【図７】
0003580472.tif 000008